(57)【要約】本発明は壁体の先端に形成された仮かまちの両側にそれぞれ結合されて固定される門柱；前記門柱上で水平方向に回動して選択的に開閉されるように設けられるドア；前記ドアの一端部に設けられて前記ドアに結合され、前記ドアと一緒に回動することができるように前記門柱上にヒンジ結合される端縁部；及び前記ドアと端縁部の間に介装されて前記ドアと端縁部を結合させる結合部を含むことを特徴とする組立式安全ドアを提供する。
2016528409.tif 000002
【特許請求の範囲】
【請求項１】
壁体の先端に形成された仮かまちの両側にそれぞれ結合されて固定される門柱；
前記門柱上で水平方向に回動して選択的に開閉されるように設けられるドア；
前記ドアの一端部に設けられて前記ドアに結合され、前記ドアと一緒に回動することができるように前記門柱上にヒンジ結合される端縁部；及び
前記ドアと端縁部の間に介装されて前記ドアと端縁部を結合させる結合部；
を含むことを特徴とする、組立式安全ドア。
【請求項２】
前記結合部は、前記ドアまたは端縁部の一端部の長手方向に設けられる固定部材、及び
前記固定部材が設けられた前記ドアまたは端縁部の他端部に前記固定部材がスライド結合されるように形成されたスリット溝を含むことを特徴とする、請求項１に記載の組立式安全ドア。
【請求項３】
前記結合部は、
前記ドアの一端部の上端と前記端縁部の一端部の上端を結合する第１コネクター、及び
前記ドアの一端部の下端と前記端縁部の一端部の下端を結合する第２コネクターを含むことを特徴とする、請求項２に記載の組立式安全ドア。
【請求項４】
前記第１コネクターは、前記ドアの一端部の上端に結合される第１雌型コネクター、前記端縁部の一端部の上端に結合される第１雄型コネクター、及び前記第１雌型コネクター及び第１雄型コネクターを貫いて結合する第１ファスナーを含み、
前記第２コネクターは、前記ドアの一端部の下端に結合される第２雄型コネクター、前記端縁部の一端部の下端に結合される第２雌型コネクター、及び前記第２雌型コネクター及び第２雄型コネクターを貫いて結合する第２ファスナーを含むことを特徴とする、請求項３に記載の組立式安全ドア。
【請求項５】
前記ドアの一端部上で前記第１雌型コネクター及び第２雄型コネクターは前記固定部材の両端部から所定間隔で離隔するように配置されることを特徴とする、請求項４に記載の組立式安全ドア。
【請求項６】
前記門柱は、
前記端縁部が回動可能にヒンジ結合される第１フレーム、及び
前記第１フレームと対向して並んで配置され、前記ドアが閉まる時に接触する第２フレームを含むことを特徴とする、請求項１に記載の組立式安全ドア。
【請求項７】
前記第１フレームは、
前記一側の仮かまちに結合され、前記端縁部の一部または全部が回動して選択的に挿入できるように安全溝が形成され、前記一側の仮かまちの長手方向に長く形成される第１かまち、及び
前記第１かまちに隣接して配置され、前記一側の仮かまちの厚さに対応して可変的に幅が変わるように前記一側の仮かまち上に結合される第２かまちを含むことを特徴とする、請求項６に記載の組立式安全ドア。
【請求項８】
前記第２フレームは、
前記他側の仮かまちに結合され、前記ドアが閉鎖される時に対向するように配置される第３かまち、及び
前記第３かまちに隣接して配置され、前記他側の仮かまちの厚さに対応して可変的に幅が変わるように前記他側の仮かまち上に結合される第４かまちを含むことを特徴とする、請求項６に記載の組立式安全ドア。
【発明の詳細な説明】
【技術分野】
【０００１】
本発明は組立式安全ドアに係り、より詳しくはドアとドアの側端部に形成された端縁部を組み立てて製作する組立式安全ドアに関するものである。
【背景技術】
【０００２】
一般に、ドアはスチール材や木材を用い、一空間と他の空間を分割して独立的な空間を形成する機能を提供する。
【０００３】
スチールドアは玄関のような門戸のように防犯の目的を持つ外部空間に配置され、木材ドアは室内空間を分割するように一空間と他の空間の間に配置されることが一般的である。
【０００４】
ここで、木材ドアは室内空間の壁体の間に門柱と敷居が結合されたかまちの間を選択的に遮蔽する機能を持ち、障子、開き戸などが代表的に使われる。
【０００５】
しかし、このような従来のドアは門柱とドアが蝶番で結合されて開閉される構造を持つ。このような室内用開き戸型ドアは、ドアがあけば門柱とドアの間に空き間が生じ、また門が閉まれば空き間がなくなるため、この空き間に使用者の身体一部が挟まる安全事故が発生する問題点がある。
【０００６】
また、このような問題点のため、ドアを加工するために、ドアの加工すべき部分と加工の不要な部分を同時に一緒に運搬、積載、加工しているが、その限界が指摘されている。
【発明の概要】
【発明が解決しようとする課題】
【０００７】
本発明はこのような問題点を解決するためになされたもので、より詳細にドアとドアの側端部に形成された端縁部を分離して加工し、組み立てる組立式安全ドアを提供することにその目的がある。
【課題を解決するための手段】
【０００８】
このような目的を達成するための本発明は、壁体の先端に形成された仮かまちの両側にそれぞれ結合されて固定される門柱；前記門柱上で水平方向に回動して選択的に開閉されるように設けられるドア；前記ドアの一端部に設けられて前記ドアに結合され、前記ドアと一緒に回動することができるように前記門柱上にヒンジ結合される端縁部；及び前記ドアと端縁部の間に介装されて前記ドアと端縁部を結合させる結合部を含むことを特徴とする組立式安全ドアを提供する。
【０００９】
前記結合部は、前記ドアまたは端縁部の一端部の長手方向に設けられる固定部材、及び前記固定部材が設けられた前記ドアまたは端縁部の他端部に前記固定部材がスライド結合されるように形成されたスリット溝を含むことができる。
【００１０】
前記結合部は、前記ドアの一端部の上端と前記端縁部の一端部の上端を結合する第１コネクター、及び前記ドアの一端部の下端と前記端縁部の一端部の下端を結合する第２コネクターを含むことができる。
【００１１】
前記第１コネクターは、前記ドアの一端部の上端に結合される第１雌型コネクター、前記端縁部の一端部の上端に結合される第１雄型コネクター、及び前記第１雌型コネクター及び第１雄型コネクターを貫いて結合する第１ファスナーを含むことができ、前記第２コネクターは、前記ドアの一端部の下端に結合される第２雄型コネクター、前記端縁部の一端部の下端に結合される第２雌型コネクター、及び前記第２雌型コネクター及び第２雄型コネクターを貫いて結合する第２ファスナーを含むことができる。
【００１２】
前記ドアの一端部上で前記第１雌型コネクター及び第２雄型コネクターは前記固定部材の両端部から所定間隔で離隔するように配置されることができる。
【００１３】
前記門柱は、前記端縁部が回動可能にヒンジ結合される第１フレーム、及び前記第１フレームと対向して並んで配置され、前記ドアが閉まる時に接触する第２フレームを含むことができる。
【００１４】
前記第１フレームは、前記一側の仮かまちに結合され、前記端縁部の一部または全部が回動して選択的に挿入できるように安全溝が形成され、前記一側の仮かまちの長手方向に長く形成される第１かまち、及び前記第１かまちに隣接して配置され、前記一側の仮かまちの厚さに対応して可変的に幅が変わるように前記一側の仮かまち上に結合される第２かまちを含むことができる。
【００１５】
前記第２フレームは、前記他側の仮かまちに結合され、前記ドアが閉鎖される時に対向するように配置される第３かまち、及び前記第３かまちに隣接して配置され、前記他側の仮かまちの厚さに対応して可変的に幅が変わるように前記他側の仮かまち上に結合される第４かまちを含むことができる。
【発明の効果】
【００１６】
本発明による組立式安全ドアによれば、
【００１７】
第一、端縁部とドアの加工を分離して実施することができるので、加工性が向上し、
【００１８】
第二、前記ドアの大きさに合う製作が容易で互換性が向上し、
【００１９】
第三、門柱とドアの間に空き間がないので、使用者の身体一部が挟まる安全事故を事前に防止することができ、
【００２０】
第四、門柱を分離して製作するので、壁体の厚さやドアの大きさに対応して施工することができ、
【００２１】
第五、工場または現場での組立てが簡便であり、施工期間及びコストを節減することができる効果がある。
【図面の簡単な説明】
【００２２】
【図１】本発明の一実施例による組立式安全ドアを示す正面図である。
【図２】図１に示した組立式安全ドアを示す分解斜視図である。
【図３】図２に示した組立式安全ドアを平面上で分離して示す断面図である。
【図４】図２に示した組立式安全ドアを正面上で示す断面図である。
【図５】図２に示した組立式安全ドアの組み立てる状態を示す参照図である。
【発明を実施するための形態】
【００２３】
以下、添付図面に基づいて本発明による好適な実施例を詳細に説明する。これに先たち、この明細書及び請求範囲に使用された用語や単語は通常的または辞書的な意味に限定して解釈されてはいけなく、発明者は自分の発明を最良の方法で説明するために用語の概念を適切に定義することができるという原則に従って、本発明の技術的思想に合う意味及び概念に解釈されなければならない。
【００２４】
図１は本発明の一実施例による組立式安全ドア１００を示す正面図、図２は図１に示した組立式安全ドア１００を示す分解斜視図、図３は図２に示した組立式安全ドア１００を平面上で分離して示す断面図である。
【００２５】
図１〜図３を参照すれば、本発明の一実施例による組立式安全ドア１００は、壁体１０の先端に形成された仮かまち１１ａ、１１ｂに結合される門柱１３０、前記門柱１３０に結合される端縁部１１０、前記端縁部１１０に結合され、水平方向に回動して開閉されるドア１２０、及び前記端縁部１１０とドア１２０を結合させる結合部１４０を含む。
【００２６】
前記門柱１３０は前記仮かまち１１ａ、１１ｂの内部両側に垂直方向に立てられる柱の一種で、内側には蝶番１１１によって前記端縁部１１０が回動可能に結合される。
【００２７】
前記門柱１３０は、前記端縁部１１０が回動可能にヒンジ結合される第１フレーム１３１、及び前記第１フレーム１３１と対向して垂直方向に並んで配置され、前記ドア１２０が閉まるときに接触する第２フレーム１３２を含む。
【００２８】
前記第１フレーム１３１及び第２フレーム１３２は長手方向に長く射出または押出し成形され、前記第１フレーム１３１には、前記端縁部１１０の一部または全部が回動して選択的に挿入できるように安全溝１３３が形成される。この際、前記第１フレーム１３１は一端部が複数回折り曲げられることで、前記第１フレーム１３１の長手方向に前記安全溝１３３が形成されることが好ましい。
【００２９】
したがって、前記門柱１３０は前記仮かまち１１ａ、１１ｂの寸法に合わせて製作することが容易であり、多様な大きさの仮かまちまたは形状の多様なドアに対応して製作することができるので、製作コスト及び施工期間を減らすことができる効果がある。
【００３０】
前記門柱１３０に形成された前記安全溝１３３は前記門柱１３０の長手方向である垂直方向に形成され、前記ドア１２０が閉まるとき、前記端縁部１１０が挿入されて、使用者の身体一部が挟まって外傷が発生するなどの安全事故を防止する機能を提供する。
【００３１】
図２に示したように、前記門柱１３０上には前記蝶番１１１によって前記端縁部１１０がヒンジ結合される。
【００３２】
そして、前記端縁部１１０とドア１２０の間には前記結合部１４０が介装されることにより、前記端縁部１１０とドア１２０を締結する。
【００３３】
前記結合部１４０は、前記ドア１２０の一端部に締結される固定部材１４１、前記端縁部１１０の一端部に長手方向に形成され、前記固定部材１４１がスライド可能に結合されるように形成されたスリット溝１４２、前記端縁部１１０の上端とドア１２０の上端を結合する第１コネクター１４３、及び前記端縁部１１０の下端とドア１２０の下端を結合する第２コネクター１４４を含む。
【００３４】
前記固定部材１４１は長手方向に沿って両端部が前記ドア１２０の一端部から突出するように形成され、前記スリット溝１４２に沿ってスライド可能に結合され、場合によっては締まりばめ方式で締結可能である。例えば、前記固定部材１４１は一断面が“コ”字形に形成されて内部に長手方向に空間が形成され、前記空間は前記第１コネクター１４３または第２コネクター１４４が出入することができる大きさに形成されることが好ましい。
【００３５】
ここで、前記第１コネクター１４３は、前記ドア１２０の上側端部に結合される第１雌型コネクター１４３ａ、前記端縁部１１０の上側端部に結合される第１雄型コネクター１４３ｂ、及び前記第１雌型コネクター１４３ａ及び第１雄型コネクター１４３ｂを貫いて結合する第１ファスナー１４３ｃを含む。
【００３６】
また、前記第２コネクター１４４は、前記ドア１２０の下側端部に結合される第２雄型コネクター１４４ｂ、前記端縁部１１０の下側端部に結合される第２雌型コネクター１４４ａ、及び前記第２雄型コネクター１４４ｂ及び第２雌型コネクター１４４ａを貫いて結合する第２ファスナー１４４ｃを含む。
【００３７】
この際、前記第１雌型コネクター１４３ａと第２雄型コネクター１４４ｂは、前記ドア１２０の一端部上の上端及び下端で上方に開放し、前記第１雄型コネクター１４３ｂと第２雌型コネクター１４４ａは前記端縁部１１０の一端部上の上端及び下端で下方に開放するように配置される。
【００３８】
これは、前記第１雌型コネクター１４３ａと第１雄型コネクター１４３ｂがスライド結合するとき、それぞれ開放する方向が向い合うようにするためであり、前記第２雌型コネクター１４４ａと第２雄型コネクター１４４ｂも同じ理由で開放方向が向い合うように配置される。ここで、開放方向とは一側が開放した方向で、他側が閉鎖した方向であり、それぞれ閉鎖した方向に前記第１ファスナー１４３ｃまたは第２ファスナー１４４ｃが締結できるように配置される。
【００３９】
すると、前記端縁部１１０とドア１２０の結合が完了する。前記端縁部１１０とドア１２０は連動して回動することになり、図面に示されていないが、前記端縁部１１０とドア１２０の結合面には防音材、防湿材、断熱材などの付加構成要素が設けられることができる。
【００４０】
したがって、前記端縁部１１０とドア１２０を分離して加工することができるので、前記組立式安全ドア１００の加工性が向上し、製作期間及びコストが減る効果を期待することができる。
【００４１】
以下、本発明による組立式安全ドア１００の組立て方法及び作用効果について詳細に説明する。以下、前記参照符号と同一参照符号は同一構成要素を示す。
【００４２】
図４は図２に示した組立式安全ドア１００及び門柱１３０を正面上で示す断面図、図５は図２に示した組立式安全ドア１００の組み立てる状態を示す参照図である。
【００４３】
図４及び図５を参照すれば、前記端縁部１１０とドア１２０の組立てはスライド方式で結合され、前記第１コネクター１４３と第２コネクター１４４が結合されて締結される。
【００４４】
前記端縁部１１０とドア１２０がスライド方式で締結されるためには、先に前記固定部材１４１が前記ドア１２０の一端部中央に結合され、前記端縁部１１０に形成された前記スリット溝１４２にスライド結合される。
【００４５】
ここで、前記固定部材１４１とスリット溝１４２は、前記端縁部１１０とドア１２０の結合方向によるスライド方向を提示するとともに前記第１コネクター１４３及び第２コネクター１４４のスライド結合位置を設定する。
【００４６】
前記スリット溝１４２上に前記固定部材１４１がスライド結合されれば、前記端縁部１１０の一端部の上端に前記第１雄型コネクター１４３ｂが結合され、前記ドア１２０の一端部の下端に 前記第２雄型コネクター１４４ｂが結合される。
【００４７】
この際、前記第１コネクター１４３と第２コネクター１４４の結合位置はそれぞれ前記端縁部１１０またはドア１２０上に前記第１コネクター１４３または第２コネクター１４４の位置を指定する位置設定工具（図示せず）によって明確に設定されるので、正確な寸法及び角度を計算しなくても前記位置設定工具が表示する位置に容易に          ボルトで締結することができる。
【００４８】
前記第１雄型コネクター１４３ｂと第２雄型コネクター１４４ｂの締結が完了すれば、前記第１雄型コネクター１４３ｂと第２雄型コネクター１４４ｂのそれぞれの他側に前記第１雌型コネクター１４３ａと第２雌型コネクター１４４ａの締結のために前記端縁部１１０とドア１２０がスライド移動される。
【００４９】
図５のように、前記端縁部１１０とドア１２０の高さが違って配置されるようにスライド移動され、前記ドア１２０の一端部の上端に前記第１雌型コネクター１４３ａが結合され、図面に示されていないが、前記端縁部１１０の一端部の下端に前記第２雌型コネクター１４４ａが結合される。
【００５０】
この際、前記ドア１２０の一端部上において前記第１雌型コネクター１４３ａと第２雄型コネクター１４４ｂは前記固定部材１４１の両端部から所定間隔で離隔するように配置されることが好ましい。ここで、前記所定間隔は前記第１雌型コネクター１４３ａまたは第２雄型コネクター１４４ｂの長さに対応し、これは前記第１コネクター１４３または第２コネクター１４４の組立てを容易にする効果がある。もちろん、前記第１雌型コネクター１４３ａと第２雄型コネクター１４４ｂは前記固定部材１４１の両端部に近接して配置されることもできる。
【００５１】
前記第１雌型コネクター１４３ａと第２雌型コネクター１４４ａの締結が完了すれば、前記端縁部１１０上で前記ドア１２０が下方にスライド移動することで、前記第１コネクター１４３と第２コネクター１４４が結合され、前記第１ファスナー１４３ｃ及び第２ファスナー１４４ｃがそれぞれ前記第１コネクター１４３と第２コネクター１４４に締結されることによって組立てができあがる。
【００５２】
このように、本発明による組立式安全ドア１００は、前記端縁部１１０とドア１２０の加工を分離して実施することができるので、加工性が向上し、前記ドア１２０の大きさに合う製作が容易で互換性が向上し、現場での組立てが簡便で施工期間及びコストが節減される効果を期待することができる。
【００５３】
そして、前記門柱１３０は前記第１フレーム１３１及び第２フレーム１３２を含む。
【００５４】
ここで、前記第１フレーム１３１は、一側の仮かまち１１ａに結合され、前記端縁部１１０の一部または全部が回動して選択的に挿入できるように安全溝１３３が形成される第１かまち１３１ａ、及び前記第１かまち１３１ａに隣接して前記一側の仮かまち１１ａ上に結合される第２かまち１３１ｂを含む。
【００５５】
また、前記第２フレーム１３２は、他側の前記仮かまち１１ｂに結合され、前記ドアが閉鎖される場合に対向するように配置される第３かまち１３２ａ、及び前記第３かまち１３２ａに隣接して配置され、前記他側の仮かまち１１ｂの厚さに対応して可変的に幅が変更できるように前記他側の仮かまち１１ｂ上に結合される第４かまち１３２ｂを含む。もちろん、前記第１フレーム１３１は前記一側の仮かまち１１ａを含めた壁体の先端に固定されることができ、前記第２フレーム１３２は前記他側の仮かまち１１ｂを含めた壁体の先端に固定されることができる。
【００５６】
前記仮かまち１１ａ、１１ｂは木材または合成樹脂材からなり、前記第１フレーム１３１と第２フレーム１３２がステープルまたはビスで結合されることが好ましい。
【００５７】
この際、前記第２かまち１３１ｂ及び第４かまち１３２ｂは前記一側の仮かまち１１ａと他側の仮かまち１１ｂの厚さに対応してそれぞれ可変的に幅を調節するように設けられる。例えば、前記第２かまち１３１ｂ及び第４かまち１３２ｂは、製作時にそれぞれ前記第１かまち１３１ａ及び第３かまち１３２ａに隣接して配置される部分が前記仮かまち１１ａ、１１ｂの幅に対応する長さに形成され、施工される前記仮かまち１１ａ、１１ｂの幅に合わせて切断するとか分離することができる構造に形成される。
【００５８】
したがって、本発明による組立式安全ドア１００は、壁体の先端に備えられる前記仮かまち上に前記門柱を容易に設置することができる効果を期待することができる。
【００５９】
本発明は図面に示した実施例に基づいて説明されたが、これは例示的なものに過ぎなく、当該技術分野で通常の知識を持った者であれば、これから多様な変形及び均等な他の実施例が可能である点を理解することが可能であろう。したがって、本発明の真正な技術的保護範囲は添付の特許請求範囲の技術的思想によって決定されなければならないであろう。
【産業上の利用可能性】
【００６０】
本発明による組立式安全ドアは、端縁部とドアを分離して加工するので、加工性に優れ、これによる互換性が向上し、特に使用者の安全を考慮して幼児や子供の安全事故が心配になる場所に必須に設置しなければならないので、需給率がめっきり増加することに予想される。
【符号の説明】
【００６１】
１００    組立式安全ドア                １１０    端縁部
１２０    ドア                          １３０    門柱
１３１    第１フレーム                  １３１ａ    第１かまち
１３１ｂ    第２かまち                  １３２    第２フレーム
１３２ａ    第３かまち                  １３２ｂ    第４かまち
１４０    結合部                        １４１    固定部材
１４２    スリット溝                    １４３    第１コネクター
１４３ａ    第１雌型コネクター          １４３ｂ    第１雄型コネクター
１４３ｃ    第１ファスナー              １４４    第２コネクター
１４４ａ    第２雌型コネクター          １４４ｂ    第２雄型コネクター
１４４ｃ    第２ファスナー
１０    壁体                            １１ａ、１１ｂ    仮かまち
１１１    蝶番
【図１】
2016528409.tif 000003
【図２】
2016528409.tif 000004
【図３】
2016528409.tif 000005
【図４】
2016528409.tif 000006
【図５】
2016528409.tif 000007
【国際調査報告】
2016528409.tif 000008
2016528409.tif 000009
2016528409.tif 000010
2016528409.tif 000011